【事件の表示】
　特許第３３１３１２７号「デジタル画像再生システム」の請求項１ないし１８に係る特許に対する特許異議の申立てについて、次のとおり決定する。
【結　論】
　訂正を認める。
　特許第３３１３１２７号の請求項１ないし８に係る特許を維持する。
【理　由】
第１．訂正の適否
１．訂正の内容
（１）特許請求の範囲の請求項１を削除する。
（２）請求項４の「ユーザインタフェースが、前記即時印刷状態を持つジョブの画像データ及び再生パラメータデータが各々のジョブの実行に各使用された後に、前記即時印刷状態を持つジョブの再生パラメータデータを再調整するために適応され」を「ユーザインタフェースが、前記即時印刷状態を持つジョブの画像データ及び再生パラメータデータが各々の
前記即時印刷状態を持つジョブ
（３）請求項４を独立形式の新たな請求項１と訂正する。
（４）特許請求の範囲の請求項６、１１ないし１８を削除する。
（５）請求項５、７ないし１０を、新たな請求項４ないし８と訂正する。
　
２．訂正の目的の適否、新規事項の有無及び拡張・変更の存否
（１）請求項１を削除する訂正は、特許請求の範囲の減縮を目的とするものである。
（２）請求項４に記載された「ジョブ」を「前記即時印刷状態を持つジョブ」と限定する訂正は、特許請求の範囲の減縮を目的とするものである。
　そして、当該訂正は、出願当初の明細書又は図面に記載した事項の範囲内でなされたもので新規事項に該当せず、実質上特許請求の範囲を拡張し又は変更するものではない。
（３）請求項４を独立形式の新たな請求項１とする訂正は、明りょうでない記載の釈明を目的とするものである。
（４）請求項６、１１ないし１８を削除する訂正は、請求項の削除を行うもので特許請求の範囲の減縮を目的とするものである。
（５）請求項５、７ないし１０を、新たな請求項４ないし８とする訂正は、番号を整理する特許請求の範囲を明瞭とすることを目的とするものである。
　
３．結論
　以上のとおりであるから、上記訂正は、特許法等の一部を改正する法律（平成６年法律第１１６号）附則第６条第１項の規定によりなお従前の例によるとされる、特許法第１２０条の４第３項において準用する平成６年法律第１１６号による改正前の特許法第１２６条第１項ただし書、第２項及び第３項の規定に適合するので、当該訂正を認める。
　
第２．異議申し立てについての判断　
１．特許法第２９条２項について
（１）本件発明
　前述のとおり訂正請求は認められるから、本件請求項１ないし８に係る発明は、その特許請求の範囲の請求項１ないし８に記載された事項により特定されるとおりのものである。
　
（２）取消理由通知で引用した刊行物
刊行物１；特開昭６３−１９７９６６号公報（異議申立人提出の甲第３号証）
刊行物２；特公平１−１４５８４号公報（同甲第４号証）
刊行物３；特開昭５９−２２３４６３号公報（同甲第５号証）
刊行物４；特開平２−１１３３２７号公報（同甲第６号証）
刊行物５；特開昭６２−５１８７１号公報（同甲第７号証）
刊行物６；特開昭６２−７１３７０号公報（同甲第８号証）
　
（３）対比・判断
ア．請求項１に係る発明（以下、「本件発明１」という。）について
　本件発明１の「制御システムが、再生パラメータのセッティングが予め設定された時間間隔内で変更されない時に通常印刷モードに自動的に戻る」ことは、刊行物１ないし６に記載も示唆もされておらず、周知技術であるとも認められない。
　
イ．他の請求項に係る発明
　本件特許の請求項２ないし８に係る発明は、本件発明１を更に限定するものであるから、本件発明１と同様に各刊行物に記載された発明に基づいて当業者が容易に発明をすることができたものとすることはできない。
　
２．特許法第３６条第４項又は第５項について
（１）「予め設定された作成率」の意義は、本件明細書の段落【０００８】の「毎分60シート以上のコピー作成率で通常は動作する高速コピー機」の記載から、コピー機が通常に動作するコピー作成率を示すことは明らかである。
　また、上記のことから、「予め設定された作成率で」は、「印刷されるコピーを作成する」に係ることは明らかと認められる。
　
３．その他の特許法第２９条第１項第３号及び特許法第２９条の２についての異議申し立ての理由については、訂正により解消された。
　
第３．結論
　以上のとおりであるから、特許異議の申立ての理由及び証拠によっては訂正された本件発明についての特許を取り消すことはできない。また、他に本件発明についての特許を取り消すべき理由を発見しない。
　したがって、本件発明についての特許は拒絶の査定をしなければならない特許出願に対してされたものと認めない。
　よって、結論のとおり決定する。
【異議決定日】
平成１７年７月１２日（２００５．７．１２）
【訂正の要旨】
審決（決定）の【理由】欄参照。
（５４）【発明の名称】
デジタル画像再生システム
（５７）【特許請求の範囲】
　【請求項１】デジタル画像再生システムであって、
−各々関連する再生パラメータに基づいて画像データを印刷する印刷手段であり、
　予め設定された作成率で印刷されるコピーを作成する連続モードで動作できる前記印刷手段と、
−再生されるべき文書のデジタル画像データを入力する入力手段と、
−ユーザが印刷手段の動作段階と関係なしに次のジョブの再生パラメータをセットし、且つ即時印刷状態をコピーするジョブに割り当てることを可能にするユーザインタフェースと、
−複数のコピーのジョブを実行するために記憶されている画像データ及び付随する再生パラメータデータを記憶する記憶手段と、
−入力手段、ユーザインタフェース、記憶手段、及び印刷手段の動作をモニタし、画像データ及び再生パラメータデータを前記の記憶手段から印刷手段に送ることを制御し、実施中のジョブのデータを記憶手段から通常の印刷モードの印刷手段に更に送ることを中断し、且つ実施中のジョブの代わりに即時印刷状態を持つジョブのデータを次に送る制御システムとを含み、
　記憶手段が、即時印刷状態を持つジョブの画像データ及び付随する再生パラメータデータを保持するために適応され、ユーザインタフェースが、前記即時印刷状態を持つジョブの画像データ及び再生パラメータデータが各々の
前記即時印刷状態を持つジョブ
、
　制御システムが、再生パラメータのセッティングが予め設定された時間間隔内で変更されない時に通常印刷モードに自動的に戻
　【請求項２】制御システムが今のジョブのデータを前記のように更に送ることを、印刷手段がこのジョブに関する今のページ又は予め定義された集団のページのための印刷行為を終了したことが制御システムに送信されると、直ちに中断する請求項１に記載の再生システム。
　【請求項３】ユーザインタフェースが、即時印刷状態を印刷されるジョブに割り当てる“中断コピー”ボタンを具備する請求項１に記載の再生システム。
　【請求項４】異なる排出ポートにそれらが属するジョブに基づいて、印刷されたコピーを送るコピー配布手段を具備する請求項１から３のいずれか一項に記載の再生システム。
　【請求項５】制御システムが、異なるジョブから印刷手段へ個々のページ又は集団のページの画像データが順に送られる時分割モードで動作できる請求項１から４のいずれか一項に記載の再生システム。
　【請求項６】時分割モードで印刷されるジョブが、当該ジョブのために印刷手段が費やす印刷時間を決定する可変重みファクターに依存する請求項５に記載の再生システム。
　【請求項７】個々のジョブの優先順位又は重みファクタが、各々のジョブの画像データがそれにより受信される入力チャンネルに基づく請求項１から６のいずれか一項に記載の再生システム。
　【請求項８】個々のジョブの優先順位又は重みファクタが、記憶手段の残りの記憶容量に基づく請求項１から７のいずれか一項に記載の再生システム。
【発明の詳細な説明】
　【０００１】
　【産業上の利用分野】
　本発明はデジタル画像再生システムに関し、
−各々関連する再生パラメータに基づいて画像データを印刷する印刷手段であって、予め設定された頻度で印刷されるコピーを作成するために連続モードで動作できる前記の印刷手段と、
−再生されるべき文書のデジタル画像データを入力する入力手段と、
−ユーザが印刷手段の動作段階と関係なしに次のジョブのために再生パラメータをセットし、且つ即時印刷状態であることをコピーするジョブに割り当てることを可能にするユーザインタフェースと、
−複数のコピーのジョブを実行するために記憶された画像データと明らかに関係する前記の画像データ及び再生パラメータデータを記憶する記憶手段と、
−入力手段、ユーザインタフェース、記憶手段、及び印刷手段の動作状態をモニタし、画像データ及び再生パラメータデータを前記の記憶手段から印刷手段に送ることを制御し、実施中のジョブのデータを記憶手段から印刷手段に通常の印刷モードで更に送ることを中断し、且つ実施中のジョブのデータの代わりに即時印刷状態をもつジョブのデータを次に送る制御システムとを有する。
　【０００２】
　【従来の技術】
　ＵＳ−Ａ−４　２１３　６９４号で開示されるような、通常の電子写真式コピーマシンの場合、オリジナルの文書は、受信用紙のシートに現像されて送られる潜像を作るために光伝導体に光学的に映し出される。これと対照的に、オリジナルの文書の画像データは走査セクションを用いてデジタルデータに変換され、デジタルデータは次に希望されたコピーを印刷するために印刷セクションに送られ、その後でデータが消えることがデジタルコピー機の際だった特長である。
　【０００３】
　【発明が解決しようとする課題】
　デジタルコピー機は、コピー機がワークステーション又はデータ伝送ネットワークのような他のソースからデジタル画像データを直接受信できる追加入力チャネルを具備できる。このようにして、非常に幅が広くて異なるアプリケーションに活用できる、複合画像再生システムが開発された。
　【０００４】
　デジタルコピーマシンは、印刷前にいわゆるデジタル画像処理装置を用いてデジタル画像データを処理する可能性もさらに提供するので、コピー品質が改良される又は印刷された画像の外観が修正されることができる。例えば、印刷されたコピーの輝度及びコントラスト又は再生倍率は、単純で高速の画像処理ルーチンを用いると高い精度で容易に調整されることができる。この目的を達成するために、デジタル画像再生システムは、コピーの輝度及びコントラストを調査して調整し且つ再生プロセスも更に制御する優れた対話式ユーザインタフェースを具備することができる。
　【０００５】
　デジタルコピーマシンが画像データを記憶するメモリを備えていると、文書の複数のコピーが、オリジナルの文書を１回だけ走査し且つできるだけ希望された数のコピーを印刷するために記憶された画像データを用いることにより作成されることができる。この特長のために、デジタルコピーマシンは、大量のコピーを高速で作成するために調整される、いわゆるプロダクトコピー機として特に役に立つ。デジタルコピー機の走査セクションと印刷セクションは、互いに実質的に独自に動作するので、新しいコピーのジョブを走査し、且つ印刷セクションが前のジョブのコピーを印刷している間に、輝度のような印刷パラメータ、希望されたコピーの数、及び類似の項目を調整することも更に可能である。
　【０００６】
　しかし、デジタルコピーマシンが非常に大量で時間がかかるジョブのために混んでいる時に、そしてあるユーザが別の文書のコピーを比較的小量で希望する場合は、彼は彼のジョブをすぐに走査できる。しかし、彼が実施中の又は今のジョブが終わるまで最後のコピーを待たねばならないことは不便なことである。このような場合は従って、実施中のジョブを中断して、急ぎのジョブを実施できる可能性を持つことが希望される。
　【０００７】
　ＵＳ−Ａ−４　０９９　８６０号は、この中断機能が実現された電子写真式コピー機を述べるものである。ユーザが数多くの中断コピーを行うために実施中のジョブの中断を希望する場合は、彼は中断ボタンを押し、コピー機のコピープロセスが停止され、且つ実施中のジョブの印刷パラメータがメモリに記憶される。
　【０００８】
　それからユーザは、急ぎのジョブのパラメータを入力し、オリジナルの文書をこのジョブのために送り、時間がかかると作業と見なすことができるコピー機を再開する。急ぎのジョブが終わると、コピー機は、記憶されていたパラメータを自動的に検索し、中断されていたジョブを続ける。特に、これらのオリジナルの低いコントラスト又は暗いバックグラウンドのため、次の一部のオリジナルが異なるパラメータセッティングで再び印刷されなければならない時には、このようなコピー機の使用は作成率を実質的に減少する結果になる。特にこれは、毎分６０シート以上のコピー作成率で通常は動作する高速コピー機の性能に影響する。更に、高速コピー機の光伝導体がかなり高速で動いているために、それは、コピー機が前記のような状態で中断するジョブを実施するために何度も停止される場合には、コピー機の機械部品の劣化を促進する恐れがある。
　【０００９】
　前文で説明されたデジタル画像再生システムに関する前記の欠点を解消し、且つコピー作成率を任意に低下せずに、同時に複数のジョブを柔軟に扱えて、しかも機械部品の劣化が促進される状態に置かれないデジタル画像再生システムを提供することが本発明の目的である。
　【００１０】
　【課題を解決するための手段】
　本発明に基づいて、この目的は、下記から成るデジタル画像再生システムで達成されることができる。
　【００１１】
　記憶手段が急ぎの印刷の状態をもつジョブに関する画像データ及び付随する再生パラメータデータを保持するために調整され、ユーザインタフェースが前記の画像データ及び前記の再生パラメータデータが各々ジョブを実行するために用いられた後に後者の再生パラメータデータを再調整するために調整される。
　【００１２】
　本発明に基づいて、画像再生システムは、複数のジョブに適した画像データと再生パラメーターを記憶する記憶手段を具備し、またプリンタがページ又は予め設定されていたページの集団を終了するたびに、制御システムが、或るジョブから別のジョブに切り替わることができるように設計されている。それで印刷手段の動作を中断せずに差込み状態で異なるジョブのコピーを作成することができる。
　【００１３】
　例えば、印刷手段は、複数の画像受信セクションが狭いスペースに配置されているベルトタイプの光伝導体を具備できる。印刷手段が動作中の時には、光伝導体ベルトは比較的高速で連続して駆動され、また画像受信セクションは、例えば、レーザ信号が記憶手段から受信された画像データに基づいて変調されるレーザ装置を用いて逐次露出される。特定のページのための画像受信セクションが露出されると、露出された画像受信セクションの立ち下がり端と次の画像受信セクションの立ち上がり端との間のクリアランスがレーザ装置を通り過ぎる時間は、制御システムが異なるジョブに関係する異なる記憶場所に切り替わるのに充分な時間である。従って、印刷手段は、任意のブランクスペースを光伝導体ベルトに設定せずに、或るジョブから別のジョブに切り替えられる。
　【００１４】
　シングルページが印刷されるたびに別のジョブに切り替えることは一般的に可能であるが、順番にすぐに印刷しなければならない複数のページから成る集団を規定することが好ましいことが時々ある。例えばこの集団は、両面コピーの２ページで構成することも可能であり、又はマルチページの文書のコピーがステープルしなければならない場合は、それは、その文書に関して完全なシングルページを形成するページのセットを構成できる。
　【００１５】
　一般的に、コピーが作成されたら、又は複数のコピーが作成しなければならない場合に最後のコピーが終了したら、直ちに、シングルページに関して記憶されていた画像データをキャンセルすることが望まれる。このような場合、データを“キャンセルすること”は、対応する記憶場所を消去すること、又はデータが新しいデータと交換されることを許可することを意味する。従って記憶場所は、次のジョブのデータを記憶するために使えるので、メモリの記憶容量が効率的に使用される。同様に、与えられたジョブのために記憶された印刷パラメータは、ジョブが終了すると直ちにキャンセルされる。
　【００１６】
　しかし、本発明の好ましい実施態様では、制御システムは“即時コピー”モードに切り替えられることができる。ここでは実施中のジョブを実行するための、いわゆる“メインコピー”モードが、高い優先順位で割り当てられ選択された他のジョブの１つの中断コピー又は複数の中断コピーを印刷するために中断され、また選択されたジョブ、すなわち、いわゆる優先するジョブのデータが中断コピーが終了した後も保持される。この特長は、次のジョブの印刷パラメータが調整される際に、テストコピーを作成する時に特に役に立つ。画像データ及び印刷パラメータはメモリに保持されるので、ユーザは、コピーの品質を最適にするために、テストコピーを調べ、次に印刷パラメータを再調整できる。写真の灰色値の優れた再生を達成するために、デジタル画像再生システムは、優れた“フォトボタン”を具備できる。このケースでは、印刷パラメータを再調整することは、フォトボタンに触れるだけで単純に行える。テストコピーが満足できるものである場合には、それらは容易に最終コピーとされるし、又は複数のコピーが希望される時には、システムは、すぐに又は中断されていたジョブが終了した後に、コピーの必要枚数を印刷するようにプログラムで設定できる。
　【００１７】
　即時コピーモードの場合でも、実施中のジョブは、テストコピー又は複数のテストコピーを作成するために必要な時間だけ中断されることに注目されるべきである。ユーザが新しいジョブのために印刷パラメータを再調整する時間間隔内で、システムは、プリンタが任意の時間ロスが無い状態で最も効率的に活用されるように前のジョブを続ける。
　【００１８】
　システムの動作は、通常のコピー機の“印刷”ボタンと類似の機能をもつ“中断コピー”ボタンを与えれば促進されることができるが、コピー機が前のジョブで忙しい間でも押し下げられる。中断コピーボタンが押し下げられると、システムは、即時コピーモードに切り替えられ、新しいジョブの中断コピーを印刷する。メモリが複数のジョブを記憶できる場合は、システムの設計は、走査入りされ且つそのため印刷パラメータが中断コピーが作成されなければならないジョブとして入力された最後のジョブを自動的に実施するようにされる。中断コピーボタンがコピーの希望数の入力前に押し下げられると、システムは、コピーの希望数に適したデフォルトセッティングが“１”なので、シングルテストコピーだけを作成する。逆に、中断コピーボタンが１よりも大きいコピーの希望数のために数値の入力後に押し下げられると、システムは、コピーの希望数の印刷を、すなわち、前のジョブのメインコピーモードを再開する前に全てのジョブを実行する。印刷パラメータの調整が重要と思われるに違いない特定のページの文書の最初のページのテストコピーだけ作成することをユーザが希望する場合は（例えば、低いコントラスト又は暗いバックグラウンドのため）、彼は、希望された１ページ又は複数のページのテストコピーだけ最初に作成し、次に印刷パラメータが正しく調整された後に全てのジョブを走査入りしてコピーできる。
　【００１９】
　代わりに、即時コピーモードは、ジョブの残り又は全てのジョブが通常モードで印刷されている間に、全てのジョブの“重要な”ページを別々に印刷するために用いられる。本発明に基づく画像再生システムは、従って、多数のコピーの大量作成に適したプロダクトコピー機として設計されることができるし、且つそれにもかかわらず、特定の文書の高品質のコピーを作成するために使用されることができる。
　【００２０】
　即時コピーモードをキャンセルするために、デジタル画像再生システムは、再生パラメータが予め設定された時間間隔内で変更されなかった場合に、即時コピーモードを自動的にキャンセルする“レディ”ボタン又はリセットユニットを具備できる。
　【００２１】
　即時コピーモードをキャンセルするこれらの２つの規準が、ＯＲ機能により組み合わされることが好ましい。
　【００２２】
　本発明に基づく再生システムは、個々のジョブのコピーを別々に排出するために、複数の排出ポートを備えていることが望まれる。即時コピーモードで作成されたコピーは、ユーザがテストコピーを容易に取り出して調査できるように、動作パネルの近くに位置設定された特定の排出ポートに送られることが望まれる。
　【００２３】
　急ぎのジョブをコピーするために又はテストコピーを作成するために、実施中のジョブを中断できる可能性のあるほかに、前記のシステムは、複数のジョブを時分割ベースで同時に処理する可能性も提供する。これは特に、大量のコピーを２つの又は更に異なるオリジナルの文書から作成しなければならないケースで特に役に立つ。そこでは両方の文書のコピーが差込み状態で印刷できるので、両方の文書の最初のコピーが短時間で使用できる。時分割システムは、実施中のジョブのコピーと同時に即時コピーモードでコピーを作成するために使用されることもできる。このようにして、そのジョブが即時コピーモードで印刷された急ぎのジョブで頻繁に中断される場合でも、かなり長いジョブが、妥当な時間内で終了されることが保証されることができる。
　【００２４】
　時分割モードでは、印刷セクションが異なるジョブに周期的に切り替えられるので、各々のジョブに関する１枚のコピー又は集団のコピーが各々のサイクルで印刷される。代わりに、異なる重みのファクタをジョブに割り当てることができるので、印刷時間は種々のジョブに不均一に配分される。
　【００２５】
　本発明では、個々のジョブの優先順位又は重みファクタが、各々のジョブの画像データがそれにより受信される入力チャンネル及び／又は記憶手段の残りの記憶容量に基づくよう構成することができる。画像作成システムが複数の入力チャンネルを具備している場合は、１つ以上のスキャナから及び更にワークステーション又はデータ伝送ネットワークから画像データを受信するために、ネットワーク又はワークステーションから受信されたデータが、再生システムのメモリにごく短時間でバッファされ、且つ走査入りされたジョブよりも高い優先順位（しかし恐らく即時コピーモードよりも低い優先順位）で印刷されるような状態で、システムは巧みに動作されることができる。再生システムがデータをネットワークから受信する受信状態に恒久的にある場合は、ネットワークから受信されてメモリにバッファされるデータは、“浮遊する”数のページをもつジョブと見なされることができる。そこで、メモリの記憶容量の指定量が、このジョブのために確保されるべきである。確保されたメモリスペースが特定のパーセンテージよりも多く占有されると、“ネットワークのジョブ”に割り当てられる重みファクタまたは優先順位が、メモリのオーバーフローを避けるために、他のジョブを犠牲にして自動的に高められる。
　【００２６】
　前記の重要なページのための即時印刷モードをユーザが容易に実行できるようにするために、前記のデジタル画像再生システムは、ユーザが特定のジョブを走査入りされた数多くのジョブから選択し、このジョブの異なるページのために異なる印刷パラメータを選択し、且つ必要に応じて、ディスプレイの各々画像のベースで選択されたページのパラメータセッティングを再び調整することを可能にする優れた対話式ユーザインタフェースを具備することができる。従って、テストコピーが作成されなければならないページ及び優先するジョブが、ユーザインタフェースを用いて選択することができる。
　【００２７】
　この目的を達成するために、ユーザインタフェースは、その文書シートがシステムの露出プラテンに置かれた後に、デジタル画像再生システムで走査入りされた文書のビデオ画像を表示するために適応される。ユーザがシステムの動作パラメーターを変更する場合は、例えば、彼が異なる縮小倍率を選択すると又は受信用紙上の画像のポジションを再調整すると、ビデオ画像もそれに基づいて調整される。従って、ディスプレイは、ハードコピーの生成前に最終コピーの試写を提供する。
　【００２８】
　文書が均一した一般的な外観をもつ１枚のページ又は複数のページだけから成るケースでは、再生システムの動作状態を著しく改善するユーザインタフェースを使用することは普通の考えである。しかし、マルチプルページコピーが異なる構成又は品質或はその両方のオリジナルの文書を組み合わせて作成される場合は、文書の希望された均一の全体構成を達成するために、このシステムのページの動作パラメータを個々に調整することはできない。
　【００２９】
　後で説明されるユーザインタフェースは、オペレーターが、走査された文書の複数のページの試写を同時に見て、且つ各々のページに対して別々に再生システムの動作パラメーターを調整することを可能にする。
　【００３０】
　特に、表示されたページの画像は相互に比較され、ソース文書の画像が均一でない時でも、均一の外観とするために調整されることができる。
　【００３１】
　前記の対話式ユーザインタフェースは、オリジナル文書のページが逐次走査され、また画像データがページサイズ設定された画像メモリに記憶されるデジタル画像再生システムに特に適用される。それでそれらは、ユーザインタフェースのディスプレイに容易に表示され、且つ適正な調整が行われた後に印刷される。このシステムは、パワフルな編集機能を提供するデジタル画像処理手段を具備できる。走査セクション及び印刷セクションは互いに独自に動作するので、前のジョブのコピーがまだ印刷されている間に、新しいジョブを走査入りし、且つ必要な調整動作を実施することができる。更に、デジタル画像再生システムは、デジタル画像データを、ファクシミリ送信機、ワークステーション、及び類似の機器のような遠隔装置から受信できる。従って、種々のソースから来る文書を組み合せることに特に適している。
　【００３２】
　ユーザインタフェースの表示装置は、走査されたページの対話フレーム及び縮小された画像が表示される接触感覚スクリーンで構成される。またページの選択及び命令の入力は、対話フレームに表示される希望されたページとコマンドボタンの画像を触れることに依り行われる。スクリーンに表示されるページの縮小倍率は、適正数のページがサイドごとに表示され且つ各々のページのレイアウトも認識できるようにして選択される。更に、ページのスクリーン画像は、再生システムのユーザ又は動作状態或はその両方で選択された印刷モードを符号で表すために漫画化される。スクリーンに表示される対話フレームは、ボタンであり、これらのコマンドボタンだけが、選択された調整動作に必要なスクリーンに表示され、今の動作条件のもとで実際に実行できるように構成されている。
　【００３３】
　この対話構造は、再生システムを希にしか使用しないユーザが非常に多彩なコマンドボタンに惑わされないようにする。代わりにユーザは、今の状態で実際に使用できて、且つスクリーンに表示される文書ページの画像が各々調整動作の効果の即時帰還を提供する調整手順で案内される、オプションに立ち向かうだけである。
　【００３４】
　【実施例】
　本発明の好ましい実施態様は、添付図面と共に下記のように説明される。
　【００３５】
　図１に図示されるように、デジタルコピー機は、デジタル画像データを入力する数多くの入力チャネル１０、デジタル画像プロセッサ又はデジタル画像処理装置１２、メモリ１４、印刷セクション１６、ユーザインタフェース１８、及び印刷セクション１６の動作、及びプログラム又はユーザインタフェース１８を経由するコマンド入力に基づいて入力チャネル１０とデジタル画像プロセッサ１２とメモリ１４と印刷セクション１６との間のデータの転送を制御する制御装置２０から一般的に構成される。
　【００３６】
　入力チャネル１０は、複数のオリジナル文書シートを逐次走査する自動文書フィーダを備えていることが好ましいメインスキャナ２２を具備している。文書フィーダには、例えば文書を相互に区別し、且つそれらを異なるコピーのジョブとして処理するために、シートを分離するように互いに分離されている複数のマルチページ文書が送られる。文書フィーダが文書シートを逆にできること、又はメインスキャナが両面文書を走査する２つの光学走査システムを備えていることは好ましいことである。
　【００３７】
　更に補助スキャナ２４もあり、その機能について次に説明される。補助スキャナ２４は、印刷セクション１６が実施中のジョブを終了するまで待たなくても、すぐ実施されなければならないジョブをマニュアルで入力するために用いられることができる。オリジナルの文書が補助スキャナ２４に送られると、スキャナは自動的に起動され、またデジタル画像データは、画像メモリとも呼ばれるメモリ１４に記憶される。
　【００３８】
　入力チャンネル１０は、外部ワークステーション２８、ファクシミリレシーバ又は類似の機器のための接続ポート２６、且つＩＳＤＮのようなデジタルネットワーク３０と直接接続する接続ポート２９も更に具備している。ワークステーション２８が別のスキャナ３１と共に動作する場合、このスキャナはデータの入力にも使用されることができる。デジタル画像プロセッサ１２は、入力チャネル１０を経由する画像データ入力を処理して大きくするために適応される。
　【００３９】
　ジョブのナンバーを走査入り又は入力された各々別のジョブに、及び更にページナンバーを各々のジョブの各々別のページに割り当てることが好ましい。例えば、連続走査動作中に走査されたページの全てが単一のジョブを形成し、且つこのジョブの個々のページが異なるページナンバーを得ることになる。更に、特定のボタンが、単一のジョブの規模の決定のためにシステム内で具備されることができる。
　【００４０】
　メモリ１４は、複数のメモリセクションに分割できて、各々が特定の印刷のジョブに関連している。これらのメモリセクションの各々が、入力チャネルの１つを経由して受信される画像データを記憶する画像メモリと、コントラスト、輝度、再生倍率、及び印刷されるべきコピーに関連する類似の特性を指定する印刷パラメータを記憶するパラメータメモリとを具備している。印刷パラメータは、印刷画像のフォーマット、分解能のレベル、又はロゴの挿入のような特定のオプション、及び類似の特性に関連するパラメータをも更に具備している。
　【００４１】
　図１に図示されるように、メモリ１４は、なかでもメインメモリ３２及び優先メモリ３４に分割されている。優先メモリ３４は、特定のジョブ、即ち高い優先順位で印刷されるべきいわゆる急ぎの又は優先するジョブのための画像データ及び印刷パラメータを記憶することができる。これは、スペシャルボタン、いわゆる“中断コピーボタン”を押し下げると行われる。全ての他のジョブはメインメモリ３２に記憶されている。しかし、メモリ１４をなかでもメインメモリ３２及び優先メモリ３４に物理的に細分する必要がないことが理解される。代わりに、メモリ１４の任意のメモリセクションは、そこに記憶されていたジョブが優先するジョブとして扱われることを意図されている場合は、優先メモリ３４として定義される。このメモリセクションは、いわゆる優先状態ビットでマークされることができる。更に、優先状態を数多くのジョブに割り当てることもできる。数多くの優先するジョブの印刷シーケンスを管理するために、制御装置２０は、優先ジョブレジスター３６も具備しておる。そこにはポインタのシーケンスが記憶され、各々ポインタは優先するジョブのメモリセクションの指標を具備している。補助スキャナ２４は中断コピーにするために頻繁に用いられるので、優先状態をこのスキャナ２４で走査された文書のジョブに自動的に割り当てることが好ましい。
　【００４２】
　更に、各々優先するジョブは、レジスタ３６内に印刷優先状態ビットをも搭載している。後者の状態ビットがハイの時に、ジョブができるだけ早く印刷される。
　【００４３】
　印刷セクション１６は、例えばレーザプリンタとして作られ、且つコピートレイ４０又はソーターとして設計できる異なる排出ポートに印刷されたコピーを送るコピー排出セクション３８を備えることができる。優先するジョブに属するコピーのために確保されるエキストラコピートレイ４２が、好ましくは、次にユーザインタフェース１８の近くに位置設定される。レーザプリンタの代わりに、ＬＥＤ−プリンタ又はインクジェットプリンタのような異なるプリンタが用いられることができる。
　【００４４】
　ユーザインタフェース１８は、メモリ１４に記憶されるジョブが適切な指標又は画像の図を用いて符号で表されるディスプレイ（図示されていない）を具備する対話式ユーザインタフェースなので、ユーザは、各々個々のジョブを指示できて、且つ印刷パラメータを入力することができる。この指標又は画像の図が非常に細かい絵で表示されると、ユーザは、画像印刷パラメータの正確性を判断し、必要に応じて、それらを再び調整することができる。
　【００４５】
　対話式ユーザインタフェース１８のスクリーンが数多くの画像の図を互いにスクリーンに表示できるほど充分に大きいサイズの時には、画像の図は互いに比較されることができるので、再生されるべきコピーの表示品質の違いが解決されることができる。このプロセスは多くの時間を要するので、各々のジョブが、即時コピーモードで巧みに実行されることができる。
　【００４６】
　メインスキャナ２２から受信されたジョブは、通常は順番に配列され、且つそれらが走査入りされた順番で印刷される。しかしユーザは、ユーザインタフェース１８を経由する命令入力を用いると、この順を変更できる。更に、ユーザインタフェース１８は、２つ以上のジョブを同時に処理するコマンドを入力できる可能性も提供するように設計されることができる。
　【００４７】
　例えば、走査入りされた最初と２番目のジョブが同時に処理されなければならない場合、ユーザは、同じシーケンスナンバー（例えば“１）を両方のジョブに割り当てることができる。後で印刷命令が入力されると、制御装置２０は、最初のジョブの最初のページの画像データを検索し、それをプリンタセクション１６に送る。このページが終了すると、直ちに、２番目のジョブの最初のページの画像データがプリンタセクション１６に送られ、且つ後で両方のジョブの次のページの画像データが、プリンタセクション１６に代わりに送られて印刷される。更に、制御装置２０はコピー排出セクション３８も制御するので、両方のジョブのコピーが異なるコピートレイ４０に排出される。オプションでは、ユーザは、同時に処理されるジョブにたいし異なる重みのファクタを割り当てることができるので、例えば、最初のジョブの２ページ及び２番目のジョブの１ページだけが、各々のサイクル内で印刷される。
　【００４８】
　ユーザインタフェース１８で行われる別のオプションは、各々のジョブのページを集団内に自動的にグループ化することである。集団を作成することは、制御装置２０が集団を非分離ユニットとして扱い、且つ装置が集団の全てのページが終了した後にだけ別のジョブに切り替わるという作用を持つことである。実際には、コマンド“両面コピー”は、コピーシートの両面に印刷されるべき２ページが集団として扱われるという作用を持つ。更に、マルチページ文書のマルチプルコピーが行われる時には、その文書の完全なシングルコピーを形成するページが１つの集団を形成することを指定することは、便利なことである。従ってコピー機は、別のジョブに切り替わる前に、完全なマルチページコピーを出力する。この集団スキーマは、コピーがマニュアルで又は自動ステープラを用いて針で閉じられる時に、特に役に立つ。好ましい実施態様では、ユーザインタフェース１８は、ユーザが、各々のページ又はページグループに対して個々に選択できるようにさせる。このケースでは、集団は、任意に希望された状態で定義されることができる。
　【００４９】
　接続ポート２６及び２９を経由して受信されたジョブは、メインスキャナ２２から受信されたジョブと同じ状態で扱われることができる。しかし、動作のノーマル又はメインモードでは、接続ポート２９を経由して受信されたデータは、数ページのサイズだけ持つ各々の関連するメモリセクション内にバッファされ、またデータはページごとに又は集団ごとに直ちに印刷される。印刷セクション１６がメインスキャナ２２を経由して走査入りされたジョブで忙しく、且つその間にデータが接続ボート２９を経由して受信されるときは、実施中のジョブは、印刷セクション１６が今のページ又は集団を終了すると直ちに中断される。
　【００５０】
　好ましい実施態様では、制御装置２０が入力チャネル１０を経由して受信されたデータの同時処理に適応されるので、メインスキャナ２２の動作は、データが１つ又は複数の他の入力チャネル２６及び２９を経由して受信されている間は中断される必要がない。完全なジョブが優先メモリ３４に記憶されると、ユーザインタフェース１８は、このジョブのための印刷パラメータを問い合わせる。するとユーザは、コマンド“中断コピー”を入力できるし（例えば、いわゆる“中断コピーボタン”を押し下げると）、また高い値をもつ優先状態ビットのほかに、このジョブの印刷優先状態はここでハイにセットされる。それで優先メモリ３４に記憶されていたジョブは、印刷セクション１６が実施中のジョブの今のページ又はページの集団を終了すると直ちに印刷される。この段階では、ジョブは、名前“急ぎのジョブ”で表される。このジョブのコピーはエキストラコピートレイ４２へ配布されるのが好ましい。急ぎのジョブの最後のコピーが印刷されると直ちに、印刷セクション１６に、中断されていたジョブの次のページのデータが送られる。エキストラコピートレイ４２がない時には、急ぎのジョブのコピーは、通常のコピートレイ又は複数のトレイ４０に配布されなければならない。このケースでは、ユーザがトレイ４０から急ぎのジョブのコピーを取り出すことを可能にするために、短時間で印刷モードを中断することが好ましい。
　【００５１】
　オプションでは、制御装置２０は、スキャナ２２、２４及び接続ポート２６及び２９を印刷セクション１６と同期化する手段を具備することができる。それで受信された画像データは、メモリ１４内にバッファされずに、プリンタに直接送られることができる。
　【００５２】
　前記のデジタルコピー機の動作の異なるモードの例が、ここで図２〜図４を用いて説明される。
　【００５３】
　図２では、メインスキャナ２２は、最初のジョブ（ジョブ１）の走査を時点ｔ０でスタートする。文書が完全に走査入りされ、また印刷パラメータがユーザインタフェース１８を用いて調整されると、いわゆる“印刷”ボタンが時点ｔ１で押し下げられ、また最初のジョブが印刷される。同時に、２番目のジョブ（ジョブ２）が走査入りされることができて、また２番目のジョブの印刷パラメータがセットされることができる。これが時点ｔ２で行われると、３番目のジョブ（ジョブ３）の画像データ及び印刷パラメータが入力されることができる。この時には、印刷セクション１６はジョブ１のコピーを印刷しているのでまだ忙しい。最初のジョブの全てのコピーが時点ｔ３で終了すると、プリンタは、ジョブ２のコピーの印刷を自動的に続ける。
　【００５４】
　図３では、ジョブ１と２が前記と同じ状態で巧みに走査入りされ、且つジョブ１が最初に印刷される。ジョブ２のパラメータの走査とセッティングは、ジョブ１のコピーがまだ印刷されている間に、時点ｔ２で行われる。或る時点ｔｐの時に、時点ｔ２の前に、優先ジョブが、補助スキャナ２４を用いて走査入りされる。
　【００５５】
　或る時点ｔｐ１で優先するジョブが走査入りされると、各々パラメーターが調整され、またコマンド“中断コピー”がこの優先するジョブに対して入力され、このジョブの印刷優先状態だけでなく優先状態もハイになる。これは、ジョブ１の印刷は、今のページ又はページの集団が終了すると直ちに中断されることを意味する（例えば時点ｔ２１で）。プリンタセクション１６は、動作状態のままであるが、即時コピー状態をもつ優先するジョブを印刷するために、ここでセクションは優先メモリ４に接続される。
　【００５６】
　優先するジョブの走査行為と関係なしに、ユーザは、３番目のジョブ（ジョブ３）をメインスキャナ２２を経由して入力できる。時点ｔ２２で、優先するジョブが終了し、また印刷セクション１６はジョブ１を続けるためにメインメモリ３２に再び接続される。急ぎのジョブの画像データ及び印刷パラメータはもう必要ないので、優先メモリ３４内のこのジョブに関するデータの全ては、急ぎのジョブの最後のコピーが排出された後で予め定められていた遅延時間の後に消去される。時点ｔ３で、ジョブ１が終了し、プリンタセクション１６がジョブ２をスタートする。
　【００５７】
　図３に基づく動作スキーマでは、優先するジョブもメインスキャナ２２を経由して走査される。このケースでは、ジョブ２の残りの部分が一時的に除外されなければならない。また優先するジョブは、メインスキャナ２２に送られて、通常の新しいジョブ（ジョブ３）として扱われなければならない。印刷パラメータが調整されている時は、このジョブは選択された状態のままなので、ユーザは、希望された場合はパラメータを変更できる。このジョブのために“中断コピー”コマンドが入力されると、制御装置２０は、選択されたジョブはノーマルシーケンスに属しないけれども、優先状態をもつ優先ジョブとして扱われるべきことを決定する。従って、このジョブのデータが記憶されるメモリセクションが、優先メモリ３４と定義される。
　【００５８】
　図４は、テストコピーが優先するジョブの印刷パラメータの調整を改善するために作成された、動作の異なるモードを示すものである。
　【００５９】
　図４に図示されるコピー手順の最初の部分は図３と同じである。ジョブ１の印刷が時点ｔ２１で中断され且つ印刷するジョブの（シングル）テストコピーが印刷されてエキストラコピートレイ４２に送られた後に、プリンタは、引続きジョブ１（時点ｔ２２で）を続ける。ユーザがテストコピーを調べた後に、彼は必要に応じて、印刷パラメータを再び調整できる。写真の灰色値の優れた調整が行われる要がある時は、システムは、特定の“フォトボタン”が巧みに与えられることができる。このケースでは、印刷パラメータの再調整は、フォトーボタンを単純に接触するだけで行えるので、写真の再生に適した標準パラメータセッティングになる。更に、コピーされるべき画像がラスタパターンをオリジナルのシートに具備しているときは、それに適した特定のボタンをコピー機に備えることができるので便利である。優先メモリ３４の内容が保持される遅延時間間隔は、印刷パラメータが変更されると再びスタートされる。このようにして、急ぎのジョブの画像データ及び印刷パラメータが記憶されるので、それらが後で使用されることができる。希望される場合は、ユーザは、別のテストコピーを作成するために“中断コピー”ボタンをもう１回（例えば時点ｔ２３で）押すことができる。ここでジョブ１のプリンタ行為ができるだけ早く中断されるので、急ぎのジョブのプリンタ手順が再びスタートされることができる。この急ぎのジョブのプリンタ行為が時点ｔ２４で終了した後に、ジョブ１の印刷セクション１６が再びスタートされる。シングルコピーだけが必要で、且つテストコピーの品質が満足できる時には、オペレーターは、テストコピーを最終コピーとして使用することができる。マルチプルコピーが必要な場合は、彼はコピーの必要数をセットする。いま使用可能な３つの異なる印刷モードがある。最初の印刷モードでは、急ぎのジョブの印刷行為の実行及び仕上げは、メイン印刷モードが中断されることができる直後にスタートできる。コピーの希望された数が作成された時には、メイン印刷モードが自動的に再びスタートされる。２番目の印刷モードでは、急ぎのジョブの印刷行為の実行及び仕上げは、しかし、実施中のジョブ（このケースではジョブ１）が完全に終了した後に、優先順位に基づいて実行される。３番目の印刷モードでは、優先するジョブの印刷行為の実行及び仕上げは、通常のジョブのノーマル又はメイン印刷モードとして実施される。そこではこのジョブは、印刷されるべきジョブの順で、すなわち、最後に走査されたジョブの後に置かれる。急ぎのジョブの最後の印刷行為が終了しない限り、各々データはメモリ１４に記憶されたままになる。これらの３つのモードの１つが、システムの購入者の好みに基づいてデジタル印刷システムに設定される。
　【００６０】
　前記の例の場合、マルチページ文書のテストコピーは、文書の全てのページの１つのコピーと見なされていた。しかし、ユーザインタフェースは印刷のために特定のページだけ選択する可能性を提供するので、ユーザは、１つのジョブ、例えばジョブ２のパラメーターセッティングの動作中（そこで時点ｔ１とｔ２との間）に、テストコピーが文書の最初のページ又は或る“重要な”ページだけに行われることを指定することができる。
　【００６１】
　図５は、中断コピー又はテストコピーにするために図３及び４に基づく動作スキーマが行われることができる制御プログラムのフローチャートを示すものである。そのために、図５に基づく制御プログラムは、印刷行為が要求されるたびに制御装置２０により実施される。１ページ又はページの１つの集団を得るための印刷行為が終了する、印刷ボタン又は中断コピーボタンが押されてオンされる、又は類似の結果になる行為（例えばワークステーションを用いて）が行われるたびに、これが実施される。
　【００６２】
　デジタル画像再生システムがスイッチオンする時は、プログラムは、スタートポイント１００からステップ１０２に進む。ステップ１０２で、今のプリンタ状態ビット及び次のプリンタ状態ビットは、制御装置２０により保持される。印刷行為がまだ実行している時は、今のプリンタ状態ビットはハイになり、そうでない時にローになる。今の印刷行為の間において、次のプリンタ状態ビットは、例えば中断コピーボタン（又は印刷ボタン）がオンに押される時に、又は入力チャネル１０及び画像プロセッサー１２により各々入力され処理されたデータがメモリ１４内に記憶された後に制御装置２０が状態信号を生成する時に、新しいプリンタコマンドでハイにされることができる。デジタル画像再生システムがスイッチオンすると、次のプリンタ状態ビットだけでなく今のプリンタ状態ビットもローにセットされる。
　【００６３】
　プログラムがステップ１０２の時には、それは、制御装置２０によって保持されるその次のプリンタ状態ビットだけでなく印刷セクション１６の今のプリンタ状態ビットもチェックする。次のプリンタ状態ビットだけでなく今のプリンタ状態ビットがローの時には、プログラムはステップ１０２のままであり、また印刷セクション１６は非動作状態になる。今のプリンタ状態ビットがローで、また次のプリンタ状態ビットがハイであるか又はハイになると、プログラムは、それが状態値を更に交換している間にステップ１０４に進む。すると、今のプリンタ状態ビットがハイになり、また次のプリンタ状態ビットがローになる。今のプリンタ状態ビットがハイの時には、これは、印刷セクション１６が今のジョブの動作状態に既になっていることを意味する。
　【００６４】
　ステップ１０４の時には、プログラムは、優先メモリ３４で使える印刷可能データがあるかどうかチェックする。このデータは、高い値の印刷優先状態ビットだけでなく優先状態ビットをも持つべきである。これがそのケースでない（Ｎ）場合、プログラムはステップ１０６に進み、そこでプログラムは、メインメモリに印刷可能データがあるかどうかをチェックする。これがそのケースでない（Ｎ）場合、プログラムはステップ１０８に進み、そこで、次のプリンタ状態ビットだけでなく今のプリンタ状態ビットも優先ジョブレジスタ３６内の低い値にセットされる。その後で、プログラムが終了し（Ｅ）、且つプログラムはスタートポイントＳと次にステップ１０２に戻り、そこで待機ポジションになる。
　【００６５】
　ステップ１０４のチェックの答えが肯定（Ｙ）の時には、プログラムはステップ１１０に進む。このステップで、印刷セクション１６は、高い値の印刷優先状態ビットだけでなく優先状態ビットをも持つジョブを印刷する。この後でプログラムはステップ１１２に進み、そこで今のプリンタ状態ビットだけでなく当該のジョブの印刷優先状態ビットがローにセットされる。すると、プログラムは更にステップ１２２に進む。
　【００６６】
　ステップ１０６の要求のチェックが肯定の答え（Ｙ）になると、プログラムはステップ１１４に進む。そこでメインモードのシーケンスの次のページのデータが、メインメモリ３２から検索され、且つコピーを得るために印刷セクション１６に送られる。それからプログラムは、今のプリンタ状態ビットがローにセットされるステップ１１６に進む。
　【００６７】
　次のステップ１１８では、このページ（又はページの集団）のコピーの今の数が達せられたかどうかがチェックされる。コピーの希望された数が印刷されるケース（Ｙ）では、プログラムはステップ１１９に進み、そこでこのぺージ（又はページの集団）の画像データが消去される。実際上はこれは、各々画像データが記憶されていたメモリセクションが入力チャネル１０の１つを経由して受信され得る新しいデータの記憶に使えることを意味する。この後でプログラムはステップ１２０に進む。
　【００６８】
　しかし、メインメモリ３２から検索されたページのコピーの要求された数が達せられていなかったこと（Ｎ）がステップ１１８内で決定されると、プログラムはステップ１２２に直接進む。
　【００６９】
　ステップ１２０では、今のジョブの最後のページが終了したかどうかがチェックされ、またこれがそのケース（Ｙ）の時には、プログラムはステップ１２１に進み、そこでは終了されたジョブの印刷パラメータも消去される。
　【００７０】
　この後でプログラムはステップ１２２に進む。
　【００７１】
　ステップ１２２では、次のプリンタ状態ビットはハイにセットされる。次のステップ１２４では、最後に印刷された優先ジョブの優先状態ビットが低い値にリセットされたかどうかがチェックされる。優先するジョブの優先状態が、“レディ”ボタンが押し下げられた場合とか、又は優先するジョブの印刷パラメータが優先するジョブの最後のページが印刷された後になって予設定されていた時間間隔内で再調整されていない時に低い値をとるように想定されていることに、注目されることができる。
　【００７２】
　ステップ１２４内のチェックが最後に印刷された優先コピーの優先状態が低い値にリセットされるような結果になる（Ｙ）場合は、プログラムはステップ１２６に進む。このステップで、優先するジョブのコピーの希望された数が１（Ｎ＝１）に保持されていたかどうかチェックされる。そのケース（Ｙ）の場合、プログラムはステップ１２８に進み、そこで各々のデータの優先メモリ３４が消去される。何故ならば、ユーザが優れた品質のテストコピーだけ持つことを希望したことが承認されることができるからである。次に、プログラムはステップ１０２に戻る。優先するジョブの最後のページのコピーの希望された数が１に等しくなかったことがステップ１２６内で決定される場合、プログラムは、ステップ１２８を実施せずに、ステップ１０２に戻る。何故ならば、メインモードで作成される、最後の優先するジョブの複数のコピーをユーザが必要とすることが承認されることができるからである。優先メモリを指示するステップ１２６及び１２８は、メインメモリ３２を指示するステップ１１８及び１１９の相手側になるものである。ジョブの優先状態がまだ高い値であるとステップ１２４内で決定される（Ｎ）と、プログラムは、ステップ１２６及び１２８を省略してステップ１０２に戻る。
　【００７３】
　印刷モードの時には、メモリ内で通常にコピーするジョブ又は優先してコピーするジョブの存在が、次の印刷状態ビットをハイにする。
　【００７４】
　前記のプログラムは、各々即時コピーモード内で、１つのテストコピーだけでなく複数の異なるテストコピーを作成するために適応される。後者のケースでは、印刷セクション１６は、プログラムが更にステップ１１２に進む前に、異なるテストコピーをステップ１１０で引続き印刷する。
　【００７５】
　図５に図示されるプログラムが図４に図示される動作スキーマを実現するために用いられる場合、テストコピーが作成された急ぎのジョブのためのデータは、優先メモリ３４内に残る。これらのデータが即時コピーモードで印刷されない限り、それらは、メインメモリ３２内に記憶されていた全ての他のジョブが印刷された後においてだけ印刷される。ジョブはその優先状態を失うので、それは、ステップ１０２内のチェックの肯定の答えにもう寄与しない。テストコピーが作成されたジョブ（与えられた例の優先するジョブ）が、各々優先状態ビットが低い値にセットされた後にジョブのオリジナルのシーケンス内に再挿入され、また更にそのポインタが優先ジョブレジスタ３６から除去されることが希望される場合には、優先するジョブが記憶されていたメモリセクションは、消去されないけれどもメインメモリ３２のセクションとして再び定義され、且つオリジナルの通常のナンバー（例えば“２”）でラベルが与えられる。
　【００７６】
　前記のシステムでは、１つ及び同じコマンドボタン、すなわち“中断コピー”ボタンが、完全なジョブを直ちに実施するために又はテストコピーだけ作成するために用いられることができる。本発明の変更された例では、シングルの“中断コピー”ボタンは、“中断ジョブ”ボタン及び分離“テストコピー”ボタンと交換できる。このケースでは、“中断ジョブ”ボタンは、システムをして、中断するジョブを実施するために実施中のジョブを中断し、中断されたジョブが再開される時に中断するジョブのデータをキャンセルするようにさせる。“テストコピー”ボタンは、システムをして、次のジョブのテストコピーだけ作成するために実施中のジョブを中断し、このジョブがノーマル動作シーケンスのコースで実施されるまで次のジョブのデータを保持するようにさせる。
　【００７７】
　既に説明されたように、ユーザインタフェースは、オペレーターが、走査された文書の複数のページの試写を同時に見て、各々のページの再生システムの動作パラメータを別々に調整することができるように適応されている。特に、表示されたページの画像が互いに比較され、且つソース文書の画像が均一でない時でも均一の外観とするために調整されることができる。
　【００７８】
　そのために、図１の画像プロセッサー１２は、画像の輝度、コントラスト、再生倍率などのような予め選択された動作パラメータに基づいて画像の画像を変更するために適応される。
　【００７９】
　そこで、ユーザインタフェース１８は、ユーザが動作命令を入力できるようにし且つ状態情報をユーザに表示するために与えられており、制御装置２０に組み込まれている入力手段、表示手段８０、試写メモリ８２、及び関連するプログラムソフトウェアから通常は構成される。デジタル画像再生システムの動作パラメータの単純な調整に関する最新の技術は、ＵＳ−Ａ−４　７４０　８１４号及びＩＢＭ技術開示文献、Ｖｏｌ．２３、（１９８１）、Ｎｏ．８、ページ３７９４／９５のＲｉｎｇｌｅ及びＶａｎ　Ｄｙｋｅの開示に基づいている。図１の好ましいデジタル画像再生システム１に用いられているユーザインタフェースでは、接触感知グラフィックスクリーン８４を具備する陰極線管（ＣＲＴ）が、組み合わされた表示及び入力装置として与えられている。このＣＲＴは、制御装置２０によって送られるグラフィック情報及びテキスト情報を表示するためにＣＲＴドライバ８６で制御されている。スクリーン８４は、センサ制御システム８８で制御される接触感知層を具備している。ユーザがスクリーン８４の部分に触ると、これが接触感知層で検出され、また接触された位置を示す信号が制御装置２０に伝えられる。この信号は、命令コマンドと解釈される。スクリーン８４の種々の位置と関連する接触信号の意味との間の関係は、いまスクリーン８４に表示されているグラフィック情報に基づいて変わる。従って、ユーザインタフェース１８は、命令コマンドを入力するために用いられる制御ボタンの異なる配列を模擬化することができる。更に、ユーザインタフェース１８は、数多くの機械的な入力キーを具備するキーユニット９０も具備している。
　【００８０】
　図６は、コピー機の動作パネルの図であり、接触感知グラフィックスクリーン８４及びキーユニット９０を示すものである。
　【００８１】
　キーユニット９０は、普通の▲静▼電複写機のものと同じであり、スタートキー９２、コピーの希望された数を選択する数字キー９４、及びコピーするジョブを中断するために用いられるストップキー９６から成る。更に、キーユニット９０は、前記の中断コピーボタン９８も具備する。グラフィックスクリーン８４は、コピーの選択された数の表示に適している。デジタルコピー機が新しいコピーのジョブを受け入れる準備ができると、それは動作の標準モードになるので、デジタルコピー機は、コピーの希望された数をキー入力し且つスタートキー９２を押すことだけが要求される、トレーニングを受けていないユーザでも容易に操作できる。
　【００８２】
　他方、オペレーターがデジタルコピー機の種々の特殊機能の使用を希望する時には、彼は、次に説明されるようにして、対話式インタフェース１８の接触感知スクリーン８４を介し主としてコピー機と会話をする。
　【００８３】
　図７及び８は、スクリーン８４に表示される画像の実施例を示すものである。一般的に、スクリーン８４の下部は、複数の対話フレーム４３の中から選択された１つを表示するために確保されている。これらの対話フレームの各々が、デジタルコピー機の機能ブロックに関連していて、且つユーザがデジタルコピー機の関連する機能ブロックに属する動作パラメータを選択又は調整できるように設計されている。対話フレームは、電話レジスタのカードのように形作られていて、且つ機能ブロックの名前が表示される下側に突き出ているタブ４４を各々が備えている。対話フレーム４３の全てのタブ４４は、スクリーンの底のラインに同時に目で見ることができる。ユーザが、関連する機能ブロックの動作パラメータを調整するために特定の対話フレームの選択を希望する時には、彼は、対応するタブ４４、すなわちタブ４４が表示される接触感知スクリーン８４の部分を彼の指で触れる。すると、ユーザインタフェース１８の制御プログラムが、関連する対話フレーム４３をフロントパネルにシフトさせる。
　【００８４】
　次に、希望された動作パラメータは、対話フレームに表示されているボタンを接触することによりセットされる。
　【００８５】
　スクリーン８４の上部は、走査された文書の数ページ及びコピーが印刷される画像を縮小される倍率で表示するために主として用いられる。図７に図示される実施例の場合、ページ４５，４６，４８，５０の限られた数の画像が、それらが走査された順に表示されている。文書が、互いに表示されることができるページよりもより多くのページを持つ時には、ページの列は、スクリーンの左右のマージンに表示される三角形のボタン５２，５４を押すとスクロールされる。左のボタン５２が接触されると、ページ画像が、例えば右にシフトされるので、新しいページが列の左端に現れる。逆にボタン５４が接触されると、画像が左にシフトされ、新しいページが列の右端に現れる。ユーザが前のジョブをもう１度ディスプレイ上で見たい時には、彼は、いわゆる“前のジョブ”選択ボタン７８に触れなければならない。しかしユーザが次のジョブをディスプレイ上で見たい時には、彼は、いわゆる“次のジョブ”選択ボタン７９に触れなければならない。スクリーン８４に表示されるページの画像情報は、画像メモリ１４内の実際の印刷情報から導かれる情報で満たされている特殊又は試写メモリ８２から検索され、且つ実際のパラメータセッティングに基づいて画像処理動作で処理される。それで画像は、それらが印刷されるコピーに現れる時に表示される。従って、ユーザインタフェース１８はページの縮小された画像を提供する。これは、いわゆるＷＹＳＩＷＹＧ概念（“あなたが見るものが、あなたが得るものである”）に基づいて、できるだけ良い形で現れる。コピー機の動作パラメータが対話フレーム４３で変更されると、新しいパラメータセッティングの作用が、ディスプレイ上に直ちに表示される。
　【００８６】
　ここで説明されるユーザインタフェース１８の重要な特長に基づいて、動作パラメータは、最新の技術から学習されることができる完全な文書の調整の代わりに文書の各々のページに対して個々にセットされる。この目的を達成するために、文書の個々のページは、接触感知スクリーン８４の各々のページの画像に触れることにより選択されることができる。選択されたページの画像は、図７のページ４８及び５０のために図示されるように、ページ画像を囲む暗いフレームを表示することにより強調表示される。マシンの１つ又は複数の動作パラメーターが、ページの一部だけが選択されている間に対話フレーム４３で変更される時は、動作パラメータの変更は選択されたページに対してだけ適用され、また前のパラメータは他のページに対して有効のままである。それにもかかわらず、選択されていないページの画像がスクリーン８４に表示されるので、オペレータは、選択されたページのパラメータの再調整が他のページに関連していかにこれらのページの外観も変えるかの様子を確認できる。選択されたページの選択解除は、このページの画像にもう一度触れると行われる。
　【００８７】
　図７に図示される可能性のある実施態様では、ユーザ及び対応する命令コマンドにより調整できる動作パラメータが、ここで詳細にわたって説明される７つの機能ブロックに編成されている。
　【００８８】
　１．片面及び両面コピー間の選択（“１／２−面”）
　印刷セクション１６は受信用紙の背面だけでなく正面にも印刷するデフォルトセッティングモードを持っているので、ユーザは、片面及び両面コピーの間で選択できる追加の可能性も持つことになる。この機能ブロックに関連する対話フレーム４３が、図７に図示されており、且つ“変更されない”、“両面”、及び“片面”と定義された３つのコマンドボタンを具備している。好ましい印刷モードは、各々コマンドボタンに触れると選択される。選択されたページに対して今有効な印刷モードは、図７でボタン“両面”に対して図示されるように、関連するコマンドボタンを強調表示する暗いフレームにより示される。通常モードがデフォルトセッティングモードになると、コピーは、オリジナルの文書と同じモードで印刷される。両面のオリジナルだけでなく片面のオリジナルを共に走査するために、スキャナ（２２又は２４）には、文書シートが両面又は片面だけの画像を実施するかどうかについて検出するセンサが組み込まれていて、また印刷セクションはこのセンサの出力信号に基づいて制御されるので、片面コピーは片面のオリジナルから作られ、両面コピーは両面のオリジナルから作られる。ユーザが彼の選択の変更（例えば“両面”から“変更されない”）を希望する時には、彼は、ボタン“変更されない”を押すだけでよい。
　【００８９】
　文書のページのシーケンスが、図７のページ４８，５０のケースのように片面コピーとして印刷される場合は、ページの画像は一定の間隔で位置設定される。一方、両面コピーが図７のページ４５，４６のケースのように作られる場合は、ページの画像はペアでグループ化（集団）されるので、受信シートの正面及び背面を形成するページは、その間がごく狭いスペースで表示される。従ってユーザは、コピーが印刷される状態を１目見るだけで理解できる。走査及び印刷モードが互いに独立して動作できる、このコピー機のデジタル概念の結果として、希望された印刷モード“両面”又は“片面”が、オリジナルのページの状態すなわち片面又は両面と関係なしに選択されることができる。
　【００９０】
　２．受信用紙の選択及び再生倍率の調整（“用紙／ズーム”）
　拡大又は縮小倍率の変更は大半のケースで、適正なフォーマットを与えるために受信用紙の正しい選択を必要とするので、これらの機能が、図８に図示されるように１つの機能ブロックに組み合わされている。図８に基づく対話フレーム４３の右半分のセクションに、選択された再生倍率が表示されている。このセクションの上部に、再生倍率がパーセンテージの値で表されている。図８に図示されている実施例の場合、１４１％の拡大ファクタが選択されたページ５６に対してセットされている。
　【００９１】
　従って、ページ５６の画像は、１対１の再生が選択されたページ５８及び６０の画像に関して拡大される。対話フレーム４３に表示されるコマンドボタン６２，６４は、各々、例えば１％のステップで再生倍率を増減するために与えられている。更に、フレーム４３の右のセクションの下側で、コピー機は、コマンドボタン６６又は６８を触れればフォーマットＡ３又はＡ４に相応してページの画像を縮小又は拡大するように指示されている。コマンドボタン７０“オート”が起動されると、再生倍率は、選択された受信用紙のフォーマットに自動的に調整される。本発明に基づくコピー機のさらなる実施態様では、選択されたページの画像のサイズの変更に対応して再生倍率の全ての変更を図示することも可能である。例えば、ユーザが小さい又は大きいページのサイズをＡ４ページのサイズに適応することを希望する場合は、彼は、ページの画像が同じサイズで現れるまで、ボタン６４又は６２を各々押す。
　【００９２】
　図８の実施態様の対話フレーム４３の左半分には、２つのコマンドボタン７２，７４が、異なる種類の受信用紙が受け入れられている種々のトレイの間で選択する実施例として表示されている。更に、用紙のフォーマットと色とが検出され、且つ対応するコマンドボタンの上に表示される。図８に図示される実施例の場合、上部トレイにＡ４用紙が取り付けられており、これに対して下部のトレイにＡ３用紙が取り付けられている。上部及び下部トレイに異なる色の用紙が取り付けられている時に、ユーザは、例えば、文書のテキストページのために白色用紙及び付録のために色付き用紙を選択できる。色付き用紙が選択されたページの画像は、すると、スクリーン８４に陰が付けられた状態で現れる。後者の選択は、フレーム４３のセクション“用紙選択”のボタン“Ａ４色付き”（図示されていない）に触れると行われる。
　【００９３】
　コマンドボタン７６（“オート”）を用いて、ユーザは、オリジナルの文書の特性又は選択された再生倍率或はその両方の条件に基づいて用紙が自動的に選択される自動モードに切り替えることができる。
　【００９４】
　３．画像の輝度及びコントラストの調整（“露出”）
　図面に詳細には図示されていない第３の機能ブロックの対話フレーム４３も、画像の全体輝度及び画像のコントラストを調整するコマンドボタンを提供する２つのセクションから構成されている。調整動作の結果は、スクリーンに表示されるページの画像の画像輝度及びコントラストの対応する変更により視覚化される。この機能ブロックの調整動作により、例えば、全体の文書のページに適した均一の輝度を提供すること、又は、写真のような網目画像をもつページに適した比較的低いコントラスト及びテキストだけもつページに適した高いコントラストを選択できる。
　【００９５】
　対話フレームの各々のセクションは、輝度及びコントラストが各々、オリジナルの文書の検出された輝度及び密度分布に対応して自動的に調整される、動作のモードに切り替わる制御ボタン“オート”を具備している。
　【００９６】
　４．コピーシートの処理及び排出（“仕上げ”）
　次の機能ブロックは、どのようにしてコピーシートが排出されなければならないかについて決定するコマンドを提供する。このブロックの１つの実施例がここで説明される。コマンドボタン“ステープル”が選択されると、コピーシートは、印刷する順に単純に集められ、次から次に針でとじられる。このケースでは広いマージンが好まれる。フレーム４３の右側セクションの上部の再生倍率に関して前に説明されたと同じ方法で、ページのマージンの要求されるサイズが選択されることができる。ウィンドウはマージンのセットサイズの表示に使えるし、このウィンドウの両面で接触感知スクリーンボタンがマージンの調整にも使える。両面ページの背面は、マージンに関する指示の自らのポイントを持っている。図８のページ５６のように、モード“ステープル”が選択されたシートに属するページは、シンボルステープル７７、すなわちページの各々の部分の小さな垂直バーでマークされる。
　【００９７】
　コマンドボタン（“ルーズリーフ”）が接触されると、文書のコピーが通常の方法で集められ、且つコピーを針でとじる動きはもう実行されない。
　【００９８】
　機能ブロック“仕上げ”に関連する対話フレーム４３は、コピー処理システムでブックフォーマットのコピーの排出を可能にする“ブックフォーマット”と呼ばれる更なるコマンドボタン（図示されていない）により送られることもできる。このモードは、ＵＳ−Ａ　４　６４０　６１１号及びＪＰ−Ａ　６２　１２２３７５号から既知のことである。
　【００９９】
　ブックフォーマットが選択されると、図８のページ５８及び６０に対して図示されるように、１つのシートの２番目の面及び次のシートの最初の面が互いに結合され、且つ開かれたブックのページのように現れる状態で、ページの画像がスクリーン８４の上に表示される。
　【０１００】
　５．ロゴ、ページナンバーなどの選択（“ロゴ”）
　第５の機能ブロックは、予め定められたヘッダー又はフッター、例えばビジネス会社のロゴを、文書の選択されたシートにペーストするコマンドを提供する。更にこの機能ブロックは、文書の選択されたページに実際のデータを示すコマンド、及びページナンバーを各々のシートに挿入するコマンドをも提供する。ページナンバーのポジション（シートの最上部又は底に又は左又は右のコーナーに）は、適切な制御ボタンを作動すればマニュアルで選択でき、又はコピーが排出されるフォーマット（ブックフォーマット又は針でとじられたシート）に自動的に適応される。
　【０１０１】
　６．走査モードの選択（“走査”）
　入力セクション１０は両面及び片面のオリジナル文書を自動的に区別するように適応されるが、コピーが両面文書の片面だけに作成されなければならないケースがある。両面及び片面文書の自動検出がキャンセルされ、また画像がシートの何れかの面に存在するかどうかに拘らず、システムがオリジナル文書の各々のシートの第１面だけ、第２面だけ、又は両面を走査することを可能にするコマンドボタンを、機能ブロック“走査”は提供する。走査モード“第１面だけ”が両面文書に対して選択されると、文書シートの各々第１面の画像だけがスクリーン８４に現れる。
　【０１０２】
　７．特殊機能（“ページ”）
　最後の機能ブロックは、ブランクページをコピージョブに挿入又はそこから削除するページ及びコマンドの選択用のショートカットを具備している。
　【０１０３】
　前に説明されたように、コピーするジョブの個々のページは、スクリーン８４のページの画像に触れることにより選択できる。しかし、文書が大量のページから成る時には、選択動作は、もし全ページが選択されるべきか又は選択が解除されるべき場合には退屈なものになる。そのために、機能ブロック“ページ”の対話フレームは、１回で全ページを選択し且つ全ページの選択を解除するコマンドボタンを具備している。
　【０１０４】
　更に、両面コピーが印刷される時には、異なるパラメータセッティングがコピーシートの正面及び背面に要求される状態が頻繁に発生する。“ページ”対話フレームは、全ての偶数ナンバーが付けられたページ又は全ての奇数ナンバーが付けられたページを選択し及び選択を解除するコマンドボタンを具備しているので、選択動作が促進される。
　【０１０５】
　ブランクページをコピージョブに挿入する可能性は、例えば、各々新しい章がシートの第１面から又はブックの右側のページから、各々開始しなければならない、ブックフォーマットの両面コピー又はコピーが作られる例に役に立つ。ブランクページを挿入する可能性に関する別の有意義な応用は、むしろ色付きの受信用紙の選択との組み合せで、コピーするジョブの異なる部分の間に別々のシートを挿入することである。ブランクページは、図７のページ４６のように、空のページとしてスクリーン８４に表示される。
　【０１０６】
　ユーザによって調整される各々のパラメータに対して、ユーザが特殊選択をこのパラメータに実施しない時に有効になるデフォルトセッティングが与えられていることに注目すべきである。一般的に、デフォルトセッティングは、最も頻繁に適用される、これらのパラメータ又はモード“オート”のような動作モードに対応している。従ってユーザは、彼が標準モードから逸脱したい場合には特殊選択の実施が要求されるだけである。
　【０１０７】
　更に、ユーザインタフェース１８の制御プログラムは、デジタルコピー機の今の状態で使えない又は感知しない機能のコマンドボタンがディスプレイから除外されるように設計されているので、ユーザは間違ったコマンドを入力することから防護されている。それにもかかわらず、ユーザが実行できない命令を入力した事態が発生すると、適切なメッセージが、ユーザにどのように進めるかについてアドバイスするためのスクリーン８４に表示される。
　【０１０８】
　スクリーン８４は、図９に関して次に説明されるコピーマシンの動作状態を記号で表すために更に用いられる。
　【０１０９】
　図９は、デジタルコピー機の異なる動作状態及びスクリーン８４上で各々関連する画像を示すダイアグラムである。初期段階２００では、オリジナル文書は補助スキャナに存在せず、またスクリーン８４は対話フレーム４３のタブ４４だけを示している。動作パラメータはデフォルト値にセットされ、且つデジタルコピー機は図６に関して説明されたキーユニット９０を用いて単純に動作される。しかし、ユーザは、適切な対話フレーム４３を選択し且つ文書フィーダで送られた全文書に適用する命令コマンドを入力すれば、動作パラメータを変更できる。
　【０１１０】
　数多くのオリジナル文書がスキャナ例えば補助スキャナ２４に置かれる時に、文書の存在が自動的に検出される。するとマシンは、オリジナル文書の走査が容易にできる状態２１０になる。文書の存在は、空のシート２４０のスタックをスクリーンの左側に表示することによりスクリーン８４で符号で表される。命令コマンド“ビューオリジナル”がコピーシートのスタックの画像に表示され、またこの画像は走査動作を初期設定するコマンドボタンとして機能する。状態２１０では、動作パラメータは状態２００と同様に変更される。
　【０１１１】
　ユーザがコマンドボタン“ビューオリジナル”に触れると、文書シートは、自動文書フィーダで逐次送られ、且つ選択された走査モードに基づいて走査される。ページの走査が終了すると、スタック２４０の空のページの１つの画像がスクリーンの中間部分に動かされ、またページの内容が画像に表示される。走査動作が進行するにつれて、ページ画像は、スクリーンの中心部に逐次動かされ、且つ選択された印刷モード（片面、両面、又はブックフォーマット）に対応する構成で面ごとに位置設定される。ページ数が或る数例えば４を越え、従ってそれらを互いにスクリーンに表示するには余りにも数多くのページがある場合、ページは昇順するページ数の方向で自動的にスクロールされ、またスクロールボタン５２、５４がスクリーンに表示される。全文書が走査された時には、マシンは、ページ２５０の画像がスクリーンに表示され且つ暗いフレームで強調表示される状態２２０になり、且つ対応するページが選択されていることを示す。従って、状態２２０で対話フレーム４３で実施された調整動作は、全体の文書にも適用する。
　【０１１２】
　ユーザは、選択が解除されるべきページの画像に触れるか又は“ページ”機能ブロックを使用すると、ここでページのセットの一部の選択を解除できる。
　【０１１３】
　ページの一部だけが選択された時には、マシンは、対話フレーム４３を用いて実施される調整動作が選択されたページだけに適用する状態２３０になる。しかし、ユーザがグローバルパラメータセッティングの変更を希望する場合は、彼は、全てのページを選択して状態２２０に戻ることができる。
　【０１１４】
　既に前に説明されたように、コピーマシンは、印刷されるべきページに適用される対話フレーム４３を用いて調整動作を実施することができる。これらの動作を実施するために考えることができる実施態様が次に説明される。コピーマシンが図９に示される動作状態２３０の時に、図１０のフローダイアグラムで図示されるプログラムが、動作パラメータを希望された値に調整するために実行される。
　【０１１５】
　そのように調整されたパラメータの値が、試写メモリ８２の一部である一時メモリに登録され、更に画像メモリ１４に登録される。一時記憶装置では、スクリーン８４上で見ることができるページ画像のパラメータデータだけが使用できる。
　【０１１６】
　１ページに関連する情報がデータの１ストリングにより表されることができて、また各々ストリングに対して画像メモリの別々の部分が使える。このメモリ部分は、任意のページの調整可能パラメータの数に対応する数多くのフィールドを具備している。一時記憶装置のメモリスペースの類似の分割が、スクリーン８４のページ画像のパラメータセッティングに使える。ページ画像のパラメータセッティング用の一時記憶装置の記憶容量に関して可能性のある分割の略図が、図１１に図示されている。メモリフィールドの水平配列は、１ページに属し、且つ各々ストリングのパラメータデータの全ての登録に用いられる。最初のフィールド４２０は、ジョブ選択ボタン７８又は７９に接触すれば得られるジョブのナンバーを持っている。２番目のフィールド４２２はそのジョブのページナンバーを持っている。ページナンバーリングの訂正は、スクロールボタン５２又は５４に触れることにより実施されることができる。各々のページに対して、両方のフィールド４２０及び４２２のデータが画像メモリ１４内の特定のメモリアドレスに対応しているので、目で見えるページ画像に関する一時記憶装置及び画像メモリ内のデータが同じになる。３番目のフィールド４２４は、各々のページの選択／選択解除の状態に関する情報を持っている。次のフィールド４２６ａ−ｋは、調整されたパラメータの値、又はそうでない場合デフォルト値に関するデータを持っている。
　【０１１７】
　スクリーン８４の次のページ画像に対しては、メモリフィールドの次に低い、水平配列が使える。スクロール動作の間に、メモリフィールドの各々の配列内のデータが、スクロール方向に基づいて上方又は下方にシフトされ、且つ次の又は前の１ページ又は複数のページに属する新しいデータで、全体的に又は部分的に交換される。
　【０１１８】
　新しいデータが初期に調整により既に決定されていない限り、各々メモリフィールドは、デフォルトパラメータセッティングデータで満たされる。
　【０１１９】
　図１０のプログラムは、タッチボタン又はタッチウィンドウ（すなわち、対話フレーム４３のジョブ選択ボタン（７８，７９）、スクロールボタン（５２，５４）、ページ画像（４５−５０）、ディスプレイフレーム選択タブ（４４）、又はパラメータボタン）が接触されると、必ずノード４００からスタートする。最初のステップ４０２では、パラメータを調整するボタンが接触されたかどうかについての質問が与えられる。それがケース（Ｙ）の時に、プログラムは更にステップ４０６に進む。このステップでは、選択されたパラメータの値が、強調表示状態に導かれ、且つ画像メモリ１４の対応するフィールドだけでなく一時記憶装置の各々のメモリフィールドにも記憶される。これは、ページがスクリーン８４で目に見える（及び従って強調表示ポジションに位置する）ようにされるかどうかにかかわらず、実態と関係ない、ページ画像の全てが選択された状態になると発生する。更に、前のパラメータセッティングは、使用可能な場合はこれらのメモリフィールドで重ね書きされる。これらのページ画像の選択状態は、メモリフィールド４２６ａ−ｋから得られた。この後でプログラムは終了する（Ｅ）。
　【０１２０】
　ステップ４０２の質問が否定（Ｎ）で回答されると、プログラムは次のステップ４０４に進む。このステップでは、対話フレーム（４３）のタブ（４４）が接触されたかどうかという質問が与えられる。それが（Ｙ）場合、各々対話フレーム（４３）が目に見えるようになる、プログラムステップ４０８が実施される。その結果、選択された対話フレーム（４３）で指示され且つ実際のセットの選択されたページに関連する、試写メモリ８２のデータが、必要に応じて新しいデータと交換されることができる。そこで、調整された値及び更に対話フレーム４３の他のパラメータのデフォルト値を示すボタンだけが、強調表示される。しかし選択された状態で２ページ以上の画像が、特定のパラメータの異なるセッティングを持つ場合は、このパラメータに関するセッティング値には、もう不明確な状態を克服する強調表示が実施されない。異なるパラメータセッティングをもつページ画像の選択が解除されると直ちに、まだ選択されているページ画像の共通パラメータ値が、強調表示状態に自動的に導かれる。これは、互いに各々のメモリフィールドの情報の内容を比較することにより調べられることができる。全てのページ画像が選択が解除される状態にある場合は、又はパラメータが特定のセッティングを持っていない場合は、各々１つのボタン又は複数のボタンが、それらのデフォルト値に関して強調表示される。
　【０１２１】
　ステップ４０８の後にプログラムが終了する（Ｅ）。ステップ４０４で否定の答え（Ｎ）のケースでは、プログラムはステップ４１０に進み、そこではページ画像が接触され且つ選択されたポジションに導かれたかどうかについての質問が与えられる。これがそのケース（Ｙ）の場合は、プログラムはステップ４１２に進み、そこでは最後に選択されたページ画像がスクリーン８４に強調表示される。このページ画像が、他に選択されたページ画像のこれらのものと異なる１つ又は複数のパラメータセッティング値を持つ場合は、前に調整され且つ強調表示状態にあるパラメータセッティングが、ここで自動的に強調表示が解除され、またプログラムが終了する（Ｅ）。ステップ４１０で否定の答え（Ｎ）のケースでは、プログラムはステップ４１４に進み、そこではスクロールボタン（５２又は５４）が接触されたかどうかについての質問が与えられる。それが（Ｙ）場合は、プログラムはステップ４１６に進み、そこでは一時記憶装置のフィールドが、新しく表示されるページ画像のパラメータ値に関する情報と、すなわち画像メモリ１４に使える前記の情報と重ね書きされる。既に選択されていた対話フレーム４３は、この状態のままである。ここで２つ以上のページ画像が選択された対話フレーム４３に関して少し異なるパラメータセッティングを持つ場合は、各々セッティングは強調表示される状態に導かれることができない。
　【０１２２】
　ステップ４１４の否定の答え（Ｎ）は、ジョブ選択ボタン（７８又は７９）の最も新しい接触に関係している。プログラムはステップ４１８に進み、そこでは別のジョブが画像メモリ１４で選択される。このケースでスクリーン８４の上部のためのデフォルトセッティングを得るために、そのジョブのページ画像の最初のシーケンスの情報が一時記憶装置に記憶され、また各々のページ画像、まだ選択されている対話フレーム、及びこの対話フレームに適したパラメータセッティングが、各々スクリーン８４に表示又は強調表示される。その後で、プログラムが終了する（Ｅ）。
　【０１２３】
　幾つかのパラメータセッティングは、選択もされず目に見えるようにもされないページにも割り当てられる。例えば、ボタン“ステープル”が接触されると、このパラメータセッティングがジョブのページの全てに有効になる。
　【０１２４】
　ユーザが希望される動作パラメータを選択すると、彼は“スタート”キー９２を押せば印刷プロセスをスタートできる。印刷されるページは、スクリーン８４の右のスタック（図示されていない）に逐次動かされるので、マシンが“忙しい”ことを示す。この状態では、動作パラメータを変更するオプションは、既に印刷されているページのパラメータと矛盾しない変更に制限される。ユーザは“ストップ”キー９６を押せば印刷動作を中断できる。
　【０１２５】
　マシンが状態２２０又は２３０（図９）又は印刷状態の時には、オリジナル文書の新しいセットが、スキャナの文書トレイ例えば補助スキャナ２４に置かれ且つ走査されることができる。それでユーザは、前のジョブが印刷される前に又はその間に、新しいコピーのジョブのために動作パラメータを調整できる。このようにして、マシンは複数のコピーのジョブを処理するようにプログラムで設定できる。それから別のスクリーン画像がジョブの各々に対して与えられるが、画像の１つだけがスクリーン８４に実際に表示されることができる。異なるスクリーン画像は、互いに重ねられる非透明シートのスタックとして考えられる。このケースでは、最上部のシートはスクリーン８４上で目に見える。２つの三角形ボタン７８，７９が、図７及び８に図示されるように、スクリーン８４の上右コーナーに表示されている。ユーザがボタン７９に触れると、次のジョブの最初のページのスクリーン画像が表示され、またボタン７８に触れると、ユーザは前のジョブに戻ることができる。従って、希望された複数のジョブを一覧することができる。
　【０１２６】
　本発明の実施態様に関する前記の実施例が、種々の方法で変更されることができることが理解される。
　【０１２７】
　例えば、機能又は機能ブロックの一部が省略され、又は追加機能が組み込まれることができる。特に、画像情報の選択された部分を消去するために又は選択された画像領域を或るページから別のページにシフトするために、追加編集機能について考える場合があるかも知れない。
　【０１２８】
　更に、選択されたページをより大きい倍率で表示するコマンドも提供できるので、ページの内容が、より高い分解能で図示され、且つ編集されることができる。
　【０１２９】
　更に、受信用紙に関する画像の位置を再設定する機能を追加することもできる。
　【０１３０】
　本発明の概念は、全体のシステムの機能を実施する数多くの別々のユニットから成るデジタル画像再生システムの概念に関する。この概念は、色付きコピーを作成できるコピーマシンにも拡大されることができる。
　【０１３１】
　そこで、カラーディスプレイが好まれるために、コピーの色を調整する追加機能を加えると便利である。個々のカラー印刷パラメータの調整のための別々のボタンのほかに、システムは、特定の“カラーボタン”も具備できるので優れている。印刷パラメータの再調整はフォトボタンに接触すれば簡単に行えるので、カラー写真の再生に適した標準パラメータセッティングにもなる。
　【０１３２】
　マシンの走査セクション及び印刷セクションに付与されている走査及び印刷装置は、任意の既知のタイプであり、又は外部装置と交換されることもできる。
　【０１３３】
　接触感知グラフィックスクリーン８４は組み合わされた入力及び表示装置として好ましいが、ディスプレイは、普通の陰極線管、液晶表示装置、又は類似の機器で代わりに形成されてもよい。また入力装置は、機械的なキー、カーソルをスクリーンディスプレイ上に移動するマウス、及び類似の部品から形成されることもできる。そうでなければ、キーユニット９０は、接触感知グラフィックスクリーン８４の一部にもなれる。
　【０１３４】
　前記の実施態様が、本発明の精神から逸脱せずに種々の方法で変更されることが、前記の説明を研究した当業者に生じよう。
　【０１３５】
　当業者に容易に生じる、これらの及び更なる変更は、特許請求の範囲で定義される本発明の範囲に属すると見なされる。
【図面の簡単な説明】
　【図１】
　本発明に基づくデジタルコピー機の全体ブロックダイアグラムである。
　【図２】
　デジタルコピー機の動作の異なるモードを図示するタイムチャートを示す。
　【図３】
　デジタルコピー機の動作の異なるモードを図示するタイムチャートを示す。
　【図４】
　デジタルコピー機の動作の異なるモードを図示するタイムチャートを示す。
　【図５】
　データをメモリからデジタルコピー機のプリンタに送ることを制御する制御システムの動作を図示するフローチャートを示す。
　【図６】
　コピー機の動作パネルの図である。
　【図７】
　動作パネルにあるスクリーンに表示される画像の説明である。
　【図８】
　動作パネルにあるスクリーンに表示される画像の説明である。
　【図９】
　各々関連する表示画像及びコピー機の異なる動作状態を図示するダイアグラムである。
　【図１０】
　図９のダイアグラムの１つの部分のフローダイアグラムを示す。
　【図１１】
　ページの略線図である。
　【符号の説明】
　１０　入力チャンネル
　１２　デジタル画像処理装置
　１４　メモリ
　１６　印刷セクション
　１８　ユーザインタフェース
　２０　制御装置
　２２　スキャナ
　２４　補助スキャナ
　２６　接続ポート
　２８　外部ワークステーション
　３８　コピー排出セクション
　４０　コピートレイ
　８４　スクリーン